(57)【要約】開閉位置間で蝶番運動軸で旋回するように適用された、一対の向かい合って、蝶番で本体部材に接続する本体部材を含む毛髪保持装置とバネ隠蔽機構。ねじり押圧バネは所定の位置にその装置を押圧する。このバネは複数の覆いに隠されており、毛髪保持装置の本体部材に結合していない。このケーシングはバネにより働くトルクを生じず、バネの第一、第二の突出アームの全体は包み込まない。したがって、それらはバネのコイル位置の大きさと形状に従うように比較的薄い壁でコンパクトに作られても良い。バネケーシングの壁が薄く直径が小さいとケーシングのその毛髪保持装置からの突き出しの程度を最小化し、それにより、美的アピールを向上させる。
2006517833.tif 000002
【特許請求の範囲】
【請求項１】
第一、第二本体部材は毛髪掴み部から成る、前記第一本体部材及び第二本体部材と、
前記第一、第二本体部材を枢軸接続する蝶番手段と、
所定の位置に前記第一、第二本体部材を押圧するねじりバネとから成り、前記ねじりバネは、コイルと該コイルの両端にある一対の押圧アームとを含み、該押圧アームは、半径方向に突出した第一部と横方向第二部から成り、更に、
前記バネの回りに回転可能で前記第一、第二本体部材に接触しない複数のケーシングから成り、前記ケーシングの一つは前記コイルを部分的に受け入れる中央通路及と前記押圧アームの一つを受け入れる周辺通路を含み、他の前記ケーシングは前記コイルの一部を受け入れる中央通路と前記押圧アームの他の一つを受け入れる周辺通路を含むことからなる、
毛髪保持装置。
【請求項２】
少なくとも一つの前記ケーシングは一つの前記押圧アームの少なくとも長さの一部、及び少なくとも周辺部の一部を隠す半径方向突出アームを含む請求項１の毛髪保持装置。
【請求項３】
前記押圧アームの前記横方向第二部を受け入れるように前記本体部材により支持された手段より成る請求項１の毛髪保持装置。
【請求項４】
前記受入れ手段は前記本体部材に設けられた凹みより成る、請求項３の毛髪保持装置。
【請求項５】
前記受入れ手段は前記本体部材に備えられた突出部より成り、前記横方向第二部分は前記突出部の穴内に受け入れられる前記請求項３の毛髪保持装置。
【請求項６】
更に、前記第一及び第二部は使用者が前記第一及び第二本体部材を操作するためのハンドル部より成る、請求項１の毛髪保持装置。
【請求項７】
第一部材と第二部材を含み、該第一と第二本体部材は、毛髪掴み部、前記第一と第二本体部材を枢軸接続する蝶番手段は、及び第一、第二本体部材を所定の位置に押圧するねじりバネから成り、前記ねじりバネはコイルと該コイルの両端の押圧アームとから成り、前記押圧アームは半径方向に突出した第一部と横方向第二部から成る毛髪保持装置に使用するためのバネ隠蔽機構において、
複数のケーシングは前記第一と第二本体部材に結合せず、前記ケーシングの一つは前記コイルの一部を受け入れる中央通路と押圧アームの一つを受け入れる周辺通路とを含み、そして、他の前記ケーシングは前記コイル部の一部を受け入れる中央通路、前記押圧アームの他の一つを受け入れる周辺通路を含む、
ことから成るバネ隠蔽機構。
【請求項８】
少なくとも一つの前記ケーシングは一つの前記押圧アームの少なくとも長さの一部、及び少なくとも周辺部の一部を隠す半径方向突出手段を含む、請求項７のねじりバネ隠蔽機構。
【請求項９】
前記押圧アームの前記横方向第二部を受け入れる前記本体部材により支持される手段より成る請求項７のねじりバネ隠蔽機構。
【請求項１０】
前記受入れ手段は前記本体部材に設けられた凹みより成る、請求項９のねじりバネ隠蔽機構。
【請求項１１】
前記受入れ手段は前記本体部材に備えられた突出部より成り、前記横方向第二部分は前記突出部に設けられた穴に受け入れられる、請求項９のねじりバネ隠蔽機構。
【請求項１２】
更に、前記第一及び第二本体部材は使用者が前記第一及び第二本体部材を操作可能にするためのハンドル部より成る、請求項７のねじりバネ隠蔽機構。
【請求項１３】
毛髪掴み部から成る第一本体部材と第二本体部材、
前記第一と第二本体部材を枢軸接続する蝶番手段、
前記第一、第二本体部材を所定の位置に押圧するための、コイルと前記コイルの両端押圧アームから成りねじりバネ、
前記第一と第二本体部材に結合されない複数のケーシングを含み、前記ケーシングの一つは前記コイルの一部を受け入れる中央通路と前記押圧アームの一つを受け入れる周辺通路とから成り、そして、他の前記ケーシングは前記コイル部の一部を受け入れる中央通路と前記押圧アームの他の一つを受け入れる周辺通路とを含むことから成り、更に、
手段は前記押圧アームを受け入れるように前記掴み部支持された手段から成る、毛髪保持装置。
【請求項１４】
少なくとも一つの前記ケーシングは一つの前記押圧アームの少なくとも長さの一部、及び少なくとも周辺部の一部を隠す半径方向突出アームを含む、請求項１３の毛髪保持装置。
【請求項１５】
前記押圧アームは半径方向突出し第一部と横方向第二部から成る請求項１３の毛髪保持装置。
【請求項１６】
前記押圧アーム受入れ手段は前記押圧アームの前記横方向第二部を受け入れる請求項１５の毛髪保持装置。
【請求項１７】
前記押圧アーム受入れ手段は前記毛髪掴み部の中に設けられた凹みより成り、前記横方向第二部は前記凹みに受け入れられる請求項１５の毛髪保持装置。
【請求項１８】
前記押圧アーム受入れ手段は前記毛髪掴み部に設けられた突出部より成り、前記横方向第二部は前記突出部に設けられた穴で受け入れられる、請求項１５の毛髪保持装置。
【請求項１９】
更に、前記第一及び第二部は使用者が前記第一及び第二本体部材を操作するためのハンドル部より成る、請求項１３の毛髪保持装置。
【請求項２０】
毛髪保持装置と共に使用するねじりバネ隠蔽機構であり、前記毛髪保持装置は第一部材と第二部材を含み、該第一と第二本体部材とは毛髪掴み部、前記第一と第二本体部材に枢軸接続する蝶番手段、及び、前記第一、第二本体部材を所定の位置に押圧するねじりバネから成り、前記ねじりバネはコイルと該コイルの両端の半径方向突出押圧アームとから成る毛髪保持装置に使用するためのねじりバネ隠蔽機構において、
複数のケーシングは前記第一と第二本体部材に結合せず、前記ケーシングの一つは前記コイルの一部を受け入れる中央通路と押圧アームの一つを受け入れる周辺通路とを含み、そして、他の前記ケーシングは前記コイル部の一部を受け入れる中央通路と、前記押圧アームの他の一つを受け入れる周辺通路を含み、更に、
毛髪保持部により支持された前記押圧アームを受け入手段から成る、
ねじりバネ隠蔽機構。
【請求項２１】
少なくとも一つの前記ケーシングは一つの前記押圧アームの少なくとも長さの一部、及び少なくとも周辺部の一部を隠す半径方向突出手段を含む、請求項２０のねじりバネ隠蔽機構。
【請求項２２】
前記押圧アームは半径方向突出部と横方向第二部から成る請求項２０のねじりバネ隠蔽機構。
【請求項２３】
前記押圧アーム受入れ手段は前記押圧アーム横方向第二部を受け入れる請求項２２のねじりバネ隠蔽機構。
【請求項２４】
前記押圧アーム受入れ手段は前記毛髪掴み部の中に設けられた凹みより成り、前記アームの前記横方向第二部は前記凹みに受け入れられる請求項２３のねじりバネ隠蔽機構。
【請求項２５】
前記押圧アーム受入れ手段は前記毛髪掴み部に設けられた突出部より成り、前記アームの横方向第二部は前記突出部に設けられた穴で受け入れられる、請求項２３のねじりバネ隠蔽機構。
【請求項２６】
更に、前記第一及び第二本体部は使用者が前記第一及び第二本体部材を操作可能にするためのハンドル部より成る、請求項２０のねじりバネ隠蔽機構。
【発明の詳細な説明】
【技術分野】
【０００１】
本出願は２００３年２月７日に出願された米国仮出願60/445,773の恩恵を宣言する。
【０００２】
本発明は第一本体、第二本体は蝶番装置で枢軸上に接続され、束ねられた毛髪の固まりを挟んで噛み合う、毛髪保持とスタイリング装置に関する。
【背景技術】
【０００３】
使用時に人の髪を保持する蝶番式バネ傾き装置はこの技術の中で知られている。この種の装置は長年使用されて来ており、初期の例は米国特許No.2,201,719に記述されている。その装置は代表的に毛髪グリップ、ハンドル部を含む一対の対面した蝶番で組み立った部材により成る。握り部は傾き装置により閉じる部分又は髪つかみ部分に傾き、最もたびたび傾くのは、その部材のハンドル部の上の閉じる力を働かせるねじりバネである。装置を動作させるために、使用者は傾くバネ力に打ち勝ち、それにより毛髪保持部を離すために指圧ハンドル部を握る。握り力を維持する間に、使用者はその装置により掴める様に望みの髪の量を反対の髪掴み部に置く。それから、使用者はハンドル部を離し、ねじりバネは髪つかみ部が束ねた髪又は集めたもじゃもじゃの髪をしっかりと接触させる。
【０００４】
その先行技術の毛髪保持装置の中で、ねじりバネ傾き装置はその装置の蝶番ピンの回りに曝された弾力性伸縮自在金属線バネである。そのらせん状に巻かれた本体部は対面する端末にある半径方向に突き出たアームの間にある。第一アームはその装置の第一指圧ハンドル部の内面を支えており、第二アームは第二指圧ハンドル部の内面を支えている。バネは蝶番の回転方向に圧縮応力が掛かっており、二本の突出アームは閉位置に向かって髪つかみ部を傾け、一方、広がり位置にハンドル部を押圧する。
【０００５】
その装置の多くの使用者は露出した裏の部品が醜いと思う。すなわち、その裏の部品、接続用取っ手、蝶番ピンとねじり押圧バネ全体、全てが髪に装着時に見える。これらの構成部品が見えることは特に外観が美的効果を与えず、目立たなく又は装飾的であるべきその装置に機械的外観を知らせ、それにより、効用とアピールを減少させる。そして、バネの露出したアームは髪がひっかかって傷つけ、引っかかった髪を引き離そうとすると使用者の指をちくりと刺す。更に、毛髪保持装置に美的と機能に損害を与えて、そのバネの尖ったアームはそれらが接触する装置の部分を引掻くか擦り剥く可能性がある。
【０００６】
一連の試みは毛髪保持装置の押圧バネを隠すために行なわれてきた。これらを含む例は、米国特許No.5,642,740, 5,787,905, 5,803,096, 5,842,482, 5,862,815, 5,873,377, 6,019,108, 6,186,151, 6,354,307, 6,357,452及び,6,408,859 、同様に公開された米国特許出願No.2001/0006068及び2003/0196675。これらのいくつかは、例えば米国特許No.6,354,307の様に、本体部材の一つに付属したケースの向こうの螺旋バネの一部を隠す事を試みている。しかしながら、この解決はいくつかの理由により問題がある。それは全体図でバネの第一突出アームを与え、その装置動作中、露出突出しバネアームの動作のためのケーシング端部と本体部材蝶番取っ手の間に隙間を与えることを必要とする。露出突出しバネアームは蝶番構成部品の視覚上の連続性を減じる。付け加えると、この解決はケーシングの中に圧縮応力を受けるバネの第二の突出しアームを設置し、それにより、第二バネアームにより働くトルクに耐える十分な厚さを持つばかりでなく、関連して、突出し第二アームの半径方向の長さを収容する大きさであるケースを必要とする。必要なケース厚さと大きさはその装置から突き出て外観の良くないケーシングに結果としてなり、蝶番構成部品の視覚的連続性を減じる。さらに、バネアームの露出は使用者の髪を引っ掛けたり、使用者の指を突き刺す可能性がある。
【０００７】
ケース入りの両端露出ねじりバネ付きの毛髪保持装置のある製造者は露出したバネアームにペンキを塗る（すなわち、カモフラージ）ことに頼ることになった。しかし、アームにペンキを塗ることは髪を引っ掛けたり、使用者の髪、指、又は装置自体を傷つける傾向をなくすことにならない。さらに、ペンキを塗ることは製造工程の段階を加え、製造コストを上げる。
【０００８】
同様に、米国特許No.6,408,859はブロックと呼ばれ、ひとつの装置本体部材から延びているケーシングの中で、螺旋バネの一部を隠すことを提案している。この設計では、そのバネの両方の突出アームは概観図の中にあり、隙間は対面するブロックの両端、及び、その装置の動作中に露出突出しアームの動作に対応するいちばん近い接続用取っ手の間にある。露出突出しア−ムと二つの隙間は蝶番構成部品の視覚的連続性を減じて、使用者に美的アピールしないかもしれない。付け加えて、製造実施を最高にするために、そのブロックはその装置本体部材の一つの不可欠な部品として成形される。これは、ブロック壁厚さが本体部材厚さから変化する程度ばかりでなく、ブロック壁の不透明さと色がその本体部材のそれの変化する程度も限定する。結果としてブロックは理想的な厚さでなく（髪がブロック、蝶番、本体部材の間で引っかかる/傷つく、残った隙間）、幾分透明である（それで、隠れたバネはプラスチックを通して見える）。結果として、亀の甲、東京と他の明るい色仕上げで成形された場合、その装置は、美的、機能的に最上でない。
【０００９】
米国特許No.5,873,377及び、6,357,452で開示された毛髪保持装置は外観から従来型ねじりバネのすべての部分をじょうずに隠す。しかし、米国特許No.6,357,452に記載された装置は米国特許No.6,354,307のケーシングと同様な欠陥を持つ大型で嵩張るバネケーシングを提供している。比較すると、米国特許No.5,873,377で提案された装置は対面突き出しバネアームを隠すパドル形状のカバーを使用しているが、ある使用者は美的に心地よいとは思わないかもしれない。
【００１０】
米国特許No.5,873,377と6,019,108は突出しバネアームを収容する本体部材中の凹みを設けることを提案する。この特徴は髪を引っ掛ける可能性を減らすが、動く尖ったばねアームにより引き起こされる本体部材への引掻きと擦り剥きは除去しない。
【特許文献１】米国特許No.2,201,719
【特許文献２】米国特許No.5,642,740
【特許文献３】米国特許No.5,787,905
【特許文献４】米国特許No.5,803,096
【特許文献５】米国特許No.5,842,482
【特許文献６】米国特許No.5,862,815
【特許文献７】米国特許No.5,873,377
【特許文献８】米国特許No.6,019,108
【特許文献９】米国特許No.6,186,151
【特許文献１０】米国特許No.6,354,307
【特許文献１１】米国特許No.6,357,452
【特許文献１２】米国特許No.6,408,859
【特許文献１３】米国特許出願No.2001/0006068
【特許文献１４】米国特許出願No.2003/0196675
【発明の開示】
【発明が解決しようとする課題】
【００１１】
要約すると、従来技術の毛髪保持装置は外観から螺旋ねじりバネの全ての部分を隠し、それと同時に露出した尖ったバネ端による髪の引っ掛けと傷つけを減少させる適当な包括的解決を与えることに失敗した。バネの一方あるいは両方のアームは露出されており又はケーシングは大きい、目立つ及び/又は透明な傾向であるバネを隠すために与えられ、それにより、蝶番組立ての外観を損ねている。
【００１２】
したがって、長所は小型さと費用と蝶番式毛髪保持装置のねじりバネのコイルばかりでなく二つ突出しアームを外観からうまく隠すような実施の効果的な機構にある。
【００１３】
更なる長所はねじりバネを含む蝶番式毛髪保持装置が使用者の髪を引っ掛けのと同時に使用者の髪、指、その装置自体を傷つけに抵抗することである。
【００１４】
本発明の全ての実施例の中で、毛髪掴み部と、閉位置と開位置の間で蝶番軸の回りにお互い関連して旋回する対面する本体部材を与えるための蝶番式組合せ手段をそれぞれ含む一対の対面する本体部材から成る毛髪保持装置が提供される。ねじり押圧バネは所定の開又は閉位置にその装置を押圧する。本発明により処理された問題点は外観から全てのねじりバネの部品を経済的に、美的に隠すという事である。
【課題を解決するための手段】
【００１５】
本発明によれば、バネは毛髪保持装置のどちらの本体部材にも付属しないで複数のケーシングに隠れる。第一のケーシングはバネのコイルの一部とバネの二つの半径方向に突き出すアームの第一アームの一部を隠す。このケーシングは第一バネ突出しアームと同時に回転する。第二のケーシングは他のバネコイル部とバネの第二突出しアーム部を隠し、そのアームと同時に回転する。ケーシングはそのバネによりいかなるトルクを生じず、バネの第一、第二突出アームの全体は包み込まないで、バネコイル部の大きさと形にきっちり従う様に、比較的壁が薄く小型である。バネケースの薄い壁と小さな径はケーシングが毛髪保持装置から突き出す程度を最少にし、それにより、美的アピールを増長させる。
【００１６】
バネケースは、好ましくは射出成型のように毛髪保持装置の本体部材から独立して作り出され、それにより、ケーシングは他の物が可能であるより直径が小さく、そして壁が薄く形作られる。そして、バネケーシングが本体部材から独立して成形される事により、そのケーシングは他の物が可能であるより、本体部材にふさわしく、より不透明でよい色である壁をもって成形される。
【００１７】
本発明の他の態様によれば、髪が引っかかりや、使用者の髪や、指、その装置自体を傷つけるのに抵抗するように形成される突出アームを持つねじりバネが備えられている。バネアームの末端部は本体部材の両方又は片方の中又は上に与えられた凹み及び/又は穴付き突出しと噛み合い、その凹み及び/又は突き出しはその装置が髪の中に取り付けられると見えない。
【発明を実施するための最良の形態】
【００１８】
他の詳細として、以下の記述で、本発明の目的と利点は本発明の利益実施の好ましい実施例及び好ましい方法で明確になるでしょう。
【００１９】
本発明は添付の図面の中で例示のみにより示される好ましい実施例の以下の記述により明確になるでしょう。
【００２０】
図１は一対の堅い本体部材１２と１４から成る典型的バネ傾斜毛髪保持装置１０であり、それらはその堅い部材により運ばれる共同接続取っ手１８、２０を通り抜ける蝶番ピン１６により軸運動可能に接続さる。部材１２，１４はそれぞれ、ハンドル部３０、３２と複数の互いに絡み合った毛髪噛み合い指又は歯を止める毛髪グリップ部２２と２４から成る。ねじりバネ３４は蝶番ピン１６の回りに配置される。ねじりバネ３４は伸縮自在で弾力のある金属線から作り出され、中央コイル３６とコイルの向かい合った末端に第一、第二の円周方向に突き出した押圧アーム３８から成る。その技術で既知の通り、ねじりバネは装置組立て１０に圧縮応力を掛けており、突出アーム３８はハンドル部３０、３２（又は部材１２，１４の他の部分）に対して力を加え、部材を図のような閉位置にさせる。
【００２１】
使用者が装置１０を付けるのを望むと、使用者は内側にハンドル部３０，３２を押し又はひねり、それにより、描かれていないが開位置に向かって毛髪グリップ位置２２、２４と歯２６，２８を蝶番で離し毛髪の房を受ける。使用者がハンドル部３０，３２を離せば、ねじりバネ３４は本体部材１２，１４を内側に回転させ毛髪押さえ位置にさせ、そして、使用者の毛髪を毛髪掴み位置２２，２４とその歯２６，２８の内側に固定させる。
【００２２】
図２を参照すると、ここに本発明に沿って組立てられた毛髪保持装置とねじりバネ隠し機構の第一実施例が示される。この装置は参照番号１１０で指定され、剛性本体部材１１２と１１４から成り、その剛性部材により運ばれる共同接続用取っ手１１８と１２０を通り抜ける蝶番ピン１１６により軸方向に連結される。部材１１２、１１４はハンドル部１３０と１３２と複数の互いに組み合わさった毛髪組合せ指又は歯１２６と１２８を止める毛髪つかみ部１２２と１２４から成る。ねじりバネは、図２では隠れているが図４から図６に従って詳細に述べられて、蝶番ピン１１６の回りに配置される。ねじりバネは装置組立て１１０の上で圧縮応力が掛かけられているが、部材１１２，１１４に対して力を加え、向かい合った端末で図の閉位置の中にそれらを置く。
【００２３】
本発明のねじりバネ隠し機構は図１から図３の参照番号１４０により概ね表される。いちばん良く分かるのは図３であり、好ましくは機構１４０は複数の環状ケースより成る。各ケーシング１４２は図７に示されたように、ねじりバネのコイル部を受け入れるための中央通路１４４を含む。各ケーシング１４２は更に、図７に示されたように、ねじりバネの半径方向に突き出した末端アームの一つを受け入れる周辺の通路１４６を含んでいる。周辺通路１４６はケーシング１４２の一部か全てに延びている。その外側寸法を最少にするために、ケーシング１４２は正確な円の円筒部材であり、その内径はケースが精密許容差でねじりバネのコイルを受入れ、自由に回転できなければならない。そのうえ、接続用取っ手１１８、１２０とケーシング１４２の周辺壁は、本体部材１１２、１１４の全ての関連する角部の中で連続した円筒状の蝶番組立てを表すような同様な形状と輪郭である。できれば、破線で示したように、ケーシング１４２の一つあるいは両方は半径方向に突き出たバネ押圧アームの少なくとも全長の一部と周囲の一部を隠すための半径方向に突き出た部材１４８を含んでいてもよい。好ましい実施例に拠れば、機構１４０は上記の様に組立てられ配列された二つのケーシング１４２より成る。しかし、ケーシング１４２は隠れるようなねじりバネのコイル部分の長さより短い全長を持つ。その場合には、ケーシング１４２はねじりバネコイルの隠れていない部分の全長に渡る一つ以上の中間の環状ケーシングにより補助されてもよい。
【００２４】
ケーシング１４２は剛体に対して実質的に堅い材料から作られても良く、本体材料１１２、１１４に使用される材料と同様でもそうでなくとも良い。すなわち、本発明の毛髪保持装置の種々の構成部品はプラスチックから製造されるばかりでなく、毛髪保持装置として長所のある工程を所有する材料又はその組合せから製造されることが推奨される。本発明のケーシングは隠蔽機能が望まれそれを達成するために最も有効に寸法を取り製造されることが推奨される。その構成は必要に応じ、ケースの軸位置及び/又は回転特性を抑圧するか誘発する限りなく特別なノッチ、縁、切断面、溝、及び/又は、直線材料含む。
【００２５】
ケーシング１４２は中央コイルと図１のバネ３４のような向かい合った端末に半径方向に突き出した押圧アームを持つ従来のねじりバネが使用される。それは本発明のねじりバネ１３４に接続して使用されても良く、それの組立て詳細は図４から図６に表されている。これらの図面に戻ると、ねじりバネは中央コイルとそのコイルの両端の第一、第二の押圧アーム１３８から成ることが分かる。押圧アーム１３８は曲がっており、半径方向に突き出す第一部分１３８aと図１１の蝶番軸A-Aに好ましくは実質的に平行に延びる横方向の第二部分１３８ｂより成る。ねじりバネは図１に表すように（すなわち、本体部材のハンドル部と傾いて接触する外側に延びる押圧アームで）毛髪保持装置に配置されても良く、又は、以下に表した図８から図１４のように（すなわち、本体部材の毛髪掴み部と傾き接触し内側に延びる押圧アームで）配置されても良い。
【００２６】
バネ１３４に準して作られたねじりバネで組み立てた毛髪保持装置の長所は、著しい。特に、横方向押圧アームの存在は使用者が装置使用時に指をちくりと刺す可能性を大幅に減少させる。さらに、横方向アーム部１３８ｂはそのアームの半径方向突出部１３８aが有効使用期間中に引掻かれたり、傷つけられたり、擦り減ったりするのを防止しており、それは装置の機能と外観に良い効果がある。横方向アーム部１３８ｂより広い表面わたりバネ力を分配し、それにより組立てられた装置１１０のその部分のプラスチックは必要とされる以上に薄く組立てることができる。
【００２７】
図７を参照すると、蝶番ピン１１６の回りに組み合わさった状態の機構図４から図６のねじりバネと図３のねじりバネ隠蔽機構１４０が見られる。ケーシング１４２はお互い隣接し、すべり接触をしており、バネ１３４のコイルを完全に包んでいる。第一のケーシングがねじりバネの第一押圧アームにより回転して、第二のケーシングがねじりバネの第二の押圧アームにより回転するように、動作時に、ケーシングはお互いに関連して逆回転する。望ましくは、ケーシング１４２の結合軸長さは、ねじりバネ隠蔽機構１４０が図２のような最少の許容差で本体部材１１４の接続取っ手１１８の間に取り付くのと同様である。ねじりバネ隠蔽機構１４０は完全にねじりバネを囲んで、バネが機能するのに必要なバネの押圧アームだけを露出して、押圧アームを取り付ける長手軸隙間の必要性なしに、装置１１０又は同等の毛髪保持装置の使用中に、毛髪が引っかかり、傷つく可能性を大幅に減少させる。
【００２８】
図８から図１１は本発明における毛髪保持装置の第一本体部材１１２の第一実施例のいくつかの実施例を示している。第二本体部材に対応する組立ては第一本体部材１１２のそれに実質上同等である。付け加えると、図８から図１１の本体部材１１２と図１２から図１４の本体部材１１２’の番号の付いた多くの構成部品は上記に詳細が記述されている。その議論は本明細書の中で参照として組み込まれる。したがって、簡単に言うと、以上に議論されなかった組立てだけが図８から図１４の中で具体的に述べられる。
【００２９】
本体部材１１２は好ましくは、バネ１３４の一つの押圧アーム１３８の横アーム部１３８ｂを受け入れるための本体部材の内側壁表面に沿う部材１５０より成る。本発明によると部材１５０は図１１に示されるように横方向アーム部１３８ｂを受け入れる凹み形状である。凹み１５０の顕著な利点は使用者の髪が引っかかったり及び/又は傷ついたりする可能性を減少させる横アーム部１３８ｂを実質的に包み込む事である。
【００３０】
図１２から図１４は本発明による毛髪保持装置の本体部材１１２’の更なる実施例のいくつかの外観を示している。又、好ましくは対応する第二の本体部材の組み立ては第一の本体部材のそれと実質上、同等である。本体部材１１２’は好ましくはバネ１３４の一つの押圧アーム１３８の横アーム部１３８ｂを受け入れるための本体部材の内側表面に沿う部材１５０’より成る。本実施例に拠れば、部材１５０’は横バネアーム部１３８ｂ挿入される穴１５２’を持つ突出形状である。図８から図１１の凹み１５０の様に、穴付き突出部材１５０’は使用者の髪が引っかかる及び/又は傷つく可能性を減少させる末端の横バネ押圧アーム部１３８ｂを実質上包み込むという事である。それはより大きい表面区域を越えてバネ力を分配する。
【００３１】
毛髪保持装置の旋回する本体部材から離れた少なくとも二つのケーシングを使用して、本発明のねじりバネ隠蔽機構１４０は他の従来技術のバネ隠蔽案ができなかった箇所に成功を収めた。上記に述べたねじりバネ隠蔽機構を備えた本発明による毛髪保持装置は、コイルばかりでなくバネの半径方向に突き出た両方の押圧アームまでも隠蔽する。更に、ケーシング１４２はトルクを生じないので、それらの直径と壁厚は従来技術のそれよりも小さく、バネの突出アームをカプセルで包む必要がない。
【００３２】
ケーシング１４２は射出成型又は他の適当な鋳造工程により装置の本体と独立して造られる。本発明によると、ケーシングはできればプラスチック材料から作られ、好ましくはバネを隠すように不透明であり、組立てた本体部材と接続用取っ手の色を含みマッチする。この様に、接続取っ手とケーシングは露出したらせん状のバネより外見が美的でアピールし、実質上、均一な外見である。しかし、いくらかの使用者はコントラストのある、透明な又は他の色又は仕上げがアピールすると感じるかもしれない。その様に、なにか装飾効果が望まれる場合に、そのケーシングと本体部材はマッチするかもしれないし、しないかもしれない。
【００３３】
ねじりバネ隠蔽機構１４０は薄い周辺壁、目立たない連続的な蝶番の輪郭を備えた小さな直径のケーシングを持ち、十分に、ねじりバネのコイルばかりでなく、両方の突出しも隠す一方、本発明の毛髪保持装置は従来技術に対して美的に優れている。ねじりバネ隠蔽機構１４０は蝶番式毛髪保持装置の第一、第二本体部材を閉位置に押圧するねじりバネを隠することに関連して有効である。しかし、それに限定されない。すなわち、本ねじりバネ隠蔽機構は、蝶番式毛髪保持装置を、開けるか閉めるかの所定の位置に蝶番毛髪保持装置を押圧するねじりバネを上手に隠すために使用される。
【００３４】
本発明は説明された実施例の範囲を超えて、以下に限定されないが、ジョークリップ、クロークリップ、蝶クリップ、ヘアークリップ及びバナナクリップの全ての形状の毛髪保持装置の領域に適用される方法及び手段を与える。
【００３５】
本発明は説明目的のために詳細を述べられているが、その詳細はその目的のために単独で、その変更はこの宣言された本発明の精神と範囲からの逸脱なしに当業者によりなされると理解される。
【図面の簡単な説明】
【００３６】
【図１】従来型の蝶番とバネが押圧する毛髪保持装置の概要図。
【図２】完全に閉位置である本発明の毛髪保持装置の概要図。
【図３】本発明のねじりバネ隠蔽機構の拡大斜視図。
【図４】本発明のねじりバネの斜視図。
【図５】本発明のねじりバネの平面図。
【図６】本発明のねじりバネの端面図。
【図７】組立て状態の図４から図６のねじりバネと図３のねじりバネ隠蔽機構の斜視図。
【図８】本発明における毛髪保持装置本体部材の第一実施例の斜視図。
【図９】図８の毛髪保持装置本体部材の内側正面図。
【図１０】図８のX-X線に沿った本発明の毛髪保持装置本体部材の切断図。
【図１１】図４から図６のねじりバネ付きの毛髪保持装置の内側正面図。
【図１２】図４から図６のねじりバネ付きの本発明による毛髪保持装置の更なる実施例の斜視図。
【図１３】図４から図６のねじりバネ付きの図１２の毛髪保持装置の内側正面図。
【図１４】図１２のXIV-XIV線に沿った本発明の毛髪保持装置の切断図。
【図１】
2006517833.tif 000003
【図２】
2006517833.tif 000004
【図３】
2006517833.tif 000005
【図４】
2006517833.tif 000006
【図５】
2006517833.tif 000007
【図６】
2006517833.tif 000008
【図７】
2006517833.tif 000009
【図８】
2006517833.tif 000010
【図９】
2006517833.tif 000011
【図１０】
2006517833.tif 000012
【図１１】
2006517833.tif 000013
【図１２】
2006517833.tif 000014
【図１３】
2006517833.tif 000015
【図１４】
2006517833.tif 000016
【国際調査報告】
2006517833.tif 000017